(57)【要約】  本開示の実施例は、信号処理方法及び機器を提供する。該方法において、ＲＭＳＩによって第１情報を送信すること、及び／又は、ＲＲＣシグナリングによって第２情報を送信することを含み、ここで、第１指示情報によって指示されるＳＳＢ関連情報と第２指示情報によって指示されるＳＳＢ関連情報とは、少なくとも部分的に一致する。
2021524211.tif 000002
【特許請求の範囲】
【請求項１】
ネットワーク側機器に応用される信号処理方法であって、
残りの最小システム情報ＲＭＳＩによって第１情報を送信すること、及び／又は、無線リソース制御ＲＲＣシグナリングによって第２情報を送信することを含み、
ここで、前記第１指示情報によって指示されるＳＳＢ関連情報と前記第２指示情報によって指示されるＳＳＢ関連情報とは、少なくとも部分的に一致する、信号処理方法。
【請求項２】
前記第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、
前記第２情報は、バーストセットにおける伝送されるＳＳＢの第２時間位置、及びＲＯとの間に関連関係が存在する第２ＳＳＢの少なくとも１つを指示し、
ここで、前記第１時間位置と前記第２時間位置とは、少なくとも部分的に一致し、及び／又は、前記第１ＳＳＢと前記第２ＳＳＢとは、少なくとも部分的に一致する、請求項１に記載の信号処理方法。
【請求項３】
前記第１情報及び第２情報は、バーストセット内の同期信号ブロックの位置ＳＳＢ−ＰｏｓｉｔｉｏｎｓＩｎＢｕｒｓｔパラメータ、又はＳＳＢ送信時間領域の位置を示す他のパラメータである、請求項１に記載の信号処理方法。
【請求項４】
前記の残りの最小システム情報ＲＭＳＩによって第１情報を送信することは、
目標セル、セカンダリセル又はプライマリセカンダリセルのＲＭＳＩによって前記第１情報を送信することを含み、
又は、
前記のＲＲＣシグナリングによって第２情報を送信することは、
目標セル、セカンダリセル又はプライマリセカンダリセルの前記第２情報をＲＲＣシグナリングによって送信することを含む、請求項１に記載の信号処理方法。
【請求項５】
セル間ハンドオーバシナリオでは、前記第１情報は、目標セルによって送信され、前記第２情報は、ソースセルによって送信され、又は、
サービングセルを追加又は修正するシナリオでは、前記第１情報は、追加又は修正されたサービングセルによって送信され、前記第２情報は、プライマリセルによって送信される、請求項１に記載の信号処理方法。
【請求項６】
端末機器に応用される信号処理方法であって、
ＲＭＳＩによって第１情報を受信すること、及び／又は、ＲＲＣシグナリングによって第２情報を受信することを含み、
ここで、前記第１指示情報によって指示されるＳＳＢ関連情報と前記第２指示情報によって指示されるＳＳＢ関連情報とは、少なくとも部分的に一致する、信号処理方法。
【請求項７】
前記第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、
前記第２情報は、バーストセットにおける伝送されるＳＳＢの第２時間位置、及びＲＯとの間に関連関係が存在する第２ＳＳＢの少なくとも１つを指示し、
ここで、前記第１時間位置と前記第２時間位置とは、少なくとも部分的に一致し、及び／又は、前記第１ＳＳＢと前記第２ＳＳＢとは、少なくとも部分的に一致する、請求項６に記載の信号処理方法。
【請求項８】
前記第１情報及び第２情報は、ＳＳＢ−ＰｏｓｉｔｉｏｎｓＩｎＢｕｒｓｔパラメータ、又はＳＳＢ送信時間領域の位置を示す他のパラメータである、請求項６に記載の信号処理方法。
【請求項９】
前記のＲＭＳＩによって第１情報を受信することは、
目標セル、セカンダリセル又はプライマリセカンダリセルのＲＭＳＩによって前記第１情報を受信することを含み、
前記のＲＲＣシグナリングによって第２情報を受信することは、
目標セル、セカンダリセル又はプライマリセカンダリセルの第２情報をＲＲＣシグナリングによって受信することを含む、請求項６に記載の信号処理方法。
【請求項１０】
セル間ハンドオーバシナリオでは、前記第１情報は、目標セルによって送信され、前記第２情報は、ソースセルによって送信され、又は、
サービングセルを追加又は修正するシナリオでは、前記第１情報は、追加又は修正されたサービングセルによって送信され、前記第２情報は、プライマリセルによって送信される、請求項６に記載の信号処理方法。
【請求項１１】
ネットワーク側機器において、
ＲＭＳＩによって第１情報を送信し、及び／又は、ＲＲＣシグナリングによって第２情報を送信する送信モジュールを含み、
ここで、前記第１指示情報によって指示されるＳＳＢ関連情報と前記第２指示情報によって指示されるＳＳＢ関連情報とは、少なくとも部分的に一致する、ネットワーク側機器。
【請求項１２】
端末機器において、
ＲＭＳＩによって第１情報を受信し、及び／又は、ＲＲＣシグナリングによって第２情報を受信する受信モジュールを含み、
ここで、前記第１指示情報によって指示されるＳＳＢ関連情報と前記第２指示情報によって指示されるＳＳＢ関連情報とは、少なくとも部分的に一致する、端末機器。
【請求項１３】
プロセッサと、メモリと、前記メモリに格納されて前記プロセッサで動作可能なコンピュータプログラムを含むネットワーク側機器であって、
前記コンピュータプログラムが前記プロセッサによって実行されると、請求項１〜５のいずれか１項に記載の信号処理方法のステップが実現される、ネットワーク側機器。
【請求項１４】
プロセッサと、メモリと、前記メモリに格納されて前記プロセッサで動作可能なコンピュータプログラムを含む端末機器であって、
前記コンピュータプログラムが前記プロセッサによって実行されると、請求項６〜１０のいずれか１項に記載の信号処理方法のステップが実現される、ネットワーク側機器。
【請求項１５】
コンピュータプログラムが格納されているコンピュータ読み取り可能な記憶媒体であって、
前記コンピュータプログラムがプロセッサによって実行されると、請求項１〜５のいずれか１項に記載の信号処理方法のステップが実現され、又は、請求項６〜１０のいずれか１項に記載の信号処理方法のステップが実現される、コンピュータ読み取り可能な記憶媒体。
【発明の詳細な説明】
【技術分野】
【０００１】
（関連出願の相互参照）
本願は、２０１８年７月１１日に中国特許庁に提出された中国特許出願２０１８１０７６０１２６．７の優先権を主張し、その全ての内容が援用によりここに取り込まれる。
本開示の実施例は、通信技術分野に係り、具体的には信号処理方法及び機器に係る。
【背景技術】
【０００２】
ニューラジオ（ＮＲ：ＮＥＷ  Ｒａｄｉｏ）システムにおいて、基地局は、端末機器による同期、システム情報の取得及び測定等のために、同期信号ブロック（ＳＳＢ：Ｓｙｎｃｈｒｏｎｉｚａｔｉｏｎ  Ｓｉｇｎａｌ  Ｂｌｏｃｋ）を送信する必要がある。
【０００３】
基地局は、該基地局が実際にどのＳＳＢを伝送したかを、システム情報ブロック１（ＳＩＢ１：Ｓｙｓｔｅｍ  Ｉｎｆｏｒｍａｔｉｏｎ  Ｂｌｏｃｋ１）とも呼ばれる残りの最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）と無線リソース制御（ＲＲＣ：Ｒａｄｉｏ  Ｒｅｓｏｕｒｃｅ  Ｃｏｎｔｒｏｌ）シグナリングによって端末機器に通知することができる。
【０００４】
しかしながら、ＲＭＳＩとＲＲＣによって指示される、基地局が実際に伝送するＳＳＢは、異なる可能性がある。その場合、異なる状態（例えば、接続状態とアイドル状態）のユーザ端末機器は、異なるＳＳＢ指示に基づいて、物理チャネル（又は物理信号）リソース割り当てに対する理解が異なる可能性があり、異なるＳＳＢ指示に基づいて、物理チャネル（又は物理信号）と実際に伝送するＳＳＢとの関連関係に対する理解も異なる可能性がある。これは、リソースの浪費及びシステムリソース構成の複雑性の増加をもたらす可能性がある。
【発明の概要】
【発明が解決しようとする課題】
【０００５】
本開示の実施例の１つの目的は、信号処理方法及び機器を提供し、ＲＭＳＩとＲＲＣによって指示されるＳＳＢが一致しないという問題を解決することである。
課題を解決するための手段
【０００６】
第１態様として、本開示の実施例は、ネットワーク側機器に応用される信号処理方法を提供する。前記方法において、残りの最小システム情報ＲＭＳＩによって第１情報を送信すること、及び／又は、無線リソース制御ＲＲＣシグナリングによって第２情報を送信することを含み、ここで、前記第１指示情報によって指示されるＳＳＢ関連情報と前記第２指示情報によって指示されるＳＳＢ関連情報とは、少なくとも部分的に一致する。
【０００７】
第２態様として、本開示の実施例は、端末機器に応用される信号処理方法を更に提供する。前記方法において、ＲＭＳＩによって第１情報を受信すること、及び／又は、ＲＲＣシグナリングによって第２情報を受信することを含み、ここで、前記第１指示情報によって指示されるＳＳＢ関連情報と前記第２指示情報によって指示されるＳＳＢ関連情報とは、少なくとも部分的に一致する。
【０００８】
第３態様として、本開示の実施例は、ネットワーク側機器を更に提供し、ＲＭＳＩによって第１情報を送信し、及び／又は、ＲＲＣシグナリングによって第２情報を送信する送信モジュールを含み、ここで、前記第１指示情報によって指示されるＳＳＢ関連情報と前記第２指示情報によって指示されるＳＳＢ関連情報とは、少なくとも部分的に一致する。
【０００９】
第４態様として、本開示の実施例は、端末機器を更に提供し、ＲＭＳＩによって第１情報を受信し、及び／又は、ＲＲＣシグナリングによって第２情報を受信する受信モジュールを含み、ここで、前記第１指示情報によって指示されるＳＳＢ関連情報と前記第２指示情報によって指示されるＳＳＢ関連情報とは、少なくとも部分的に一致する。
【００１０】
第５態様として、本開示の実施例は、プロセッサと、メモリと、前記メモリに格納されて前記プロセッサで動作可能なコンピュータプログラムを含むネットワーク側機器を更に提供し、前記コンピュータプログラムが前記プロセッサによって実行されると、第１態様に記載の信号処理方法のステップが実現される。
【００１１】
第６態様として、本開示の実施例は、プロセッサと、メモリと、前記メモリに格納されて前記プロセッサで動作可能なコンピュータプログラムを含む端末機器を更に提供し、前記コンピュータプログラムが前記プロセッサによって実行されると、第２態様に記載の信号処理方法のステップが実現される。
【００１２】
第７態様として、本開示の実施例は、コンピュータプログラムが格納されているコンピュータ読み取り可能な記憶媒体を更に提供し、前記コンピュータプログラムがプロセッサによって実行されると、第１態様又は第２態様に記載の信号処理方法のステップが実現される。
【発明の効果】
【００１３】
本開示の実施例において、セル間ハンドオーバシナリオ、セカンダリセル構成を追加又は修正するシナリオ、又はプライマリセカンダリセル構成を追加又は修正するシナリオで、ネットワークからＲＭＳＩによって送信される第１情報とＲＲＣシグナリングによって送信される第２情報とで指示されるＳＳＢ関連情報が少なくとも部分的に一致することによって、異なる状態（例えば、接続状態及びアイドル状態）の端末機器では、ＲＭＳＩ及び／又はＲＲＣによって指示されるＳＳＢに基づいて、物理チャネル（又は物理信号）とＳＳＢとの関連関係についての理解が一致し、リソースの浪費を回避し、システムリソース構成の複雑さを低減する。
【００１４】
他の様々な利点やメリットは、当業者にとって、以下の選択可能な実施形態の詳細な記載から明らかになる。図面は、一部の実施形態を示すという目的のみに用いられるものであり、本開示への制限と見なされない。しかも、すべての図面を通して、同じ参照記号で同じ構成要素を示す。
【図面の簡単な説明】
【００１５】
【図１】本開示の実施例に係る無線通信システムのアーキテクチャ概略図である。
【図２】本開示の実施例に係る信号処理方法のフローチャートその１である。
【図３】本開示の実施例に係る信号処理方法のフローチャートその２である。
【図４】本開示の実施例に係るネットワーク側機器の構造図その１である。
【図５】本開示の実施例に係る端末機器の構造図その１である。
【図６】本開示の実施例に係るネットワーク側機器の構造図その２である。
【図７】本開示の実施例に係る端末機器の構造図その２である。
【発明を実施するための形態】
【００１６】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１７】
本願の明細書及び特許請求の範囲における「含む」及びそのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んてもよい。また、明細書及び請求項に使用される「及び／又は」は、連結対象のうちの少なくとも１つを示す。例えばＡ及び／又はＢは、Ａのみ、Ｂのみ、及び、ＡとＢの両方の３種類のケースを示す。
【００１８】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００１９】
本開示の実施例の技術手段をよりよく理解するために、まず、以下の技術的ポイントを紹介する。
【００２０】
１．ＳＳＢ指示について：
ＮＲシステムにおいて、端末機器による同期、システム情報の取得、測定等のために、基地局は、ＳＳＢを送信する必要がある。複数のＳＳＢは、１つのＳＳバースト（ｂｕｒｓｔ）セット（ｓｅｔ）を構成する。１つのＳＳ  ｂｕｒｓｔ  ｓｅｔに含まれるＳＳＢの最大数は、ネットワークに使用されるキャリア周波数に関連する。
キャリア周波数範囲が３ＧＨｚ未満である場合、１つのＳＳ  ｂｕｒｓｔ  ｓｅｔに最大４個のＳＳＢが含まれる。
キャリア周波数範囲が３ＧＨｚ以上且つ６ＧＨｚ未満である場合、１つのＳＳ  ｂｕｒｓｔ  ｓｅｔに最大８個のＳＳＢが含まれる。
キャリア周波数範囲が６ＧＨｚ以上である場合、１つのＳＳ  ｂｕｒｓｔ  ｓｅｔに最大６４個のＳＳＢが含まれる。
【００２１】
１つのＳＳ  ｂｕｒｓｔ  ｓｅｔにいくつのＳＳＢが含まれるかにかかわらず、該ＳＳ  ｂｕｒｓｔ  ｓｅｔ内の全てのＳＳＢが５ミリ秒（ｍｓ）の時間窓内に送信完了する必要があることが理解されよう。しかしながら、５ｍｓの時間窓内で基地局によって実際に伝送されるＳＳＢの数は、その周波数帯域上の１つのＳＳ  ｂｕｒｓｔ  ｓｅｔに含まれるＳＳＢの最大数よりも少ない可能性がある。基地局は、該基地局が実際にどのＳＳＢを伝送したかを、ＲＭＳＩ（ＳＩＢ１とも呼ぶ）及び／又はＲＲＣシグナリングによって端末機器に通知することができる。
【００２２】
ＲＲＣシグナリングにおいて実際に伝送するＳＳＢ情報を指示することは、以下のように設計される。
ssb-PositionsInBurst    CHOICE{
shortBitmap               BITSTRING(SIZE(4)),
mediumBitmap              BITSTRING(SIZE(8)),
longBitmap                BITSTRING(SIZE(64))
}
【００２３】
ＲＭＳＩにおいて実際に伝送するＳＳＢ情報を指示することは、以下のように設計される。
ssb-PositionsInBurst  SEQUENCE{
inOneGroup              BITSTRING(SIZE(8))、
groupPresence          BITSTRING(SIZE(8))
OPTIONAL-- Cond above6GHzOnly
}
【００２４】
６ＧＨｚ以上の周波数帯域では、実際に伝送するＳＳＢ情報を基地局がＲＭＳＩを用いて指示する場合、１つの８ビット（ｂｉｔ）のグループビットマップ（ｂｉｔｍａｐ）と１つの８ｂｉｔのグループ内ｂｉｔｍａｐという方式で指示し、１つのＳＳＢグループは、複数の連続したＳＳＢと定義する。グループｂｉｔｍａｐは、どのＳＳＢグループが実際に伝送されたか（存在するか）を指示し、グループ内ｂｉｔｍａｐは、それらのＳＳＢグループ内でどのＳＳＢが実際に伝送されたか（存在するか）を指示し、各グループ内で実際に伝送されたＳＳＢは、同じである。例えば、６Ｇ以上の場合、１つのＳＳ  ｂｕｒｓｔ  ｓｅｔに最大６４個のＳＳＢが含まれ、それらの伝送可能な６４個のＳＳＢを８個のグループに分け、グループｂｉｔｍａｐの「１１００００００」は、基地局が実際に１つ目のＳＳＢグループと２つ目のＳＳＢグループを伝送したことを指示し、グループ内ｂｉｔｍａｐの「１１１１００００」は、基地局が実際に１つ目のＳＳＢグループと２つ目のＳＳＢグループ内の最初の４個のＳＳＢを伝送したことを指示する。従って、基地局は、合計２×４＝８個のＳＳＢを伝送した。
【００２５】
基地局が実際に伝送したＳＳＢをＲＲＣシグナリングを用いて端末機器に通知する場合、フル（ｆｕｌｌ）ｂｉｔｍａｐの方式が用いられ、即ち、１つのＳＳ  ｂｕｒｓｔ  ｓｅｔに最大Ｌ個のＳＳＢ（Ｌ＝４／８／６４）が含まれる場合、実際にどのＳＳＢを伝送したかを長さＬのｂｉｔｍａｐによって指示する。
【００２６】
２：ＳＳＢと物理ランダムアクセスチャネル伝送機会ＲＯ（ＰＲＡＣＨ  Ｔｒａｎｓｍｉｓｓｉｏｎ  Ｏｃｃａｓｉｏｎ、又はＰＲＡＣＨ  Ｏｃｃａｓｉｏｎ）との間の関連関係について：
ＮＲシステムにおいて、ＳＳＢとＲＯとの間の関連関係とは、ＳＳＢとＲＯとの間にマッピングが存在することを意味し、このマッピングは、１対１、１対多又は多対１である。関連関係の一例として、ＲＯリソースに２つのＳＳＢがマッピングされ、且つ各ＲＯにマッピングされるＳＳＢの数が１つであり、ＲＯと関連関係が存在する２つのＳＳＢをＳＳＢ０、ＳＳＢ１とすると、１回のＳＳＢとＲＯとのマッピング内で、ＳＳＢ０、ＳＳＢ１は、それぞれ２つの異なるＲＯにマッピングされる。端末機器は、ＲＲＣ及び／又はＲＭＳＩで指示されるＳＳＢ及びＰＲＡＣＨ構成に基づいて、ＳＳＢとＲＯとの間の関連関係を決定することができる。
【００２７】
以下、本開示の実施例について図面を参照して紹介する。本開示の実施例に係る信号処理方法及び機器は、無線通信システムに応用可能である。該無線通信システムは、第５世代移動通信技術５Ｇ（ｆｉｆｔｈ−ｇｅｎｅｒａｔｉｏｎ）システム、進化型ロングタームエボリューションｅＬＴＥ（Ｅｖｏｌｖｅｄ  Ｌｏｎｇ  Ｔｅｒｍ  Ｅｖｏｌｕｔｉｏｎ）システム、又はその後の進化型通信システムである。図１は、本開示の実施例に係る無線通信システムのアーキテクチャ概略図である。図１に示すように、該無線通信システムは、ネットワーク側機器１０と、ネットワーク側機器１０と通信（シグナリング又はデータの伝送）可能な端末機器（例えばユーザ機器ＵＥ（Ｕｓｅｒ  Ｅｑｕｉｐｍｅｎｔ））ＵＥ１１とを含む。実際のアプリケーションでは、上記各機器間の接続は、無線接続でもよいが、各機器間の接続関係を直感的に示す便宜上、図１では実線で示している。
【００２８】
なお、上記通信システムは、複数のＵＥ１１を含んでもよく、ネットワーク側機器１０は、複数のＵＥ１１と通信することができる。
【００２９】
本開示の実施例に係るネットワーク側機器１０は、基地局である。該基地局は、通常使用される基地局であってもよいし、進化型基地局ｅＮＢ（ｅｖｏｌｖｅｄ  ｎｏｄｅ  ｂａｓｅ  ｓｔａｔｉｏｎ）であってもよいし、５Ｇシステムにおけるネットワーク側機器（例えば次世代基地局ｇＮＢ（ｎｅｘｔ  ｇｅｎｅｒａｔｉｏｎ  ｎｏｄｅ  ｂａｓｅ  ｓｔａｔｉｏｎ））又は送受信ポイントＴＲＰ（ｔｒａｎｓｍｉｓｓｉｏｎ  ａｎｄ  ｒｅｃｅｐｔｉｏｎ  ｐｏｉｎｔ）などの機器であってもよい。
【００３０】
本開示の実施例に係るユーザ機器は、携帯電話、タブレットパソコン、ノートパソコン、ウルトラモバイルパソコンＵＭＰＣ（Ｕｌｔｒａ−Ｍｏｂｉｌｅ  Ｐｅｒｓｏｎａｌ  Ｃｏｍｐｕｔｅｒ）、ネットブック又はパーソナルデジタルアシスタントＰＤＡ（Ｐｅｒｓｏｎａｌ  Ｄｉｇｉｔａｌ  Ａｓｓｉｓｔａｎｔ）などである。
【００３１】
図２を参照し、本開示の実施例は、実行エンティティがネットワーク側機器である信号処理方法を提供し、具体的には、ステップ２０１において、ＲＭＳＩによって第１情報を送信し、及び／又は、ＲＲＣシグナリングによって第２情報を送信する。ここで、第１指示情報によって指示されるＳＳＢ関連情報と第２指示情報によって指示されるＳＳＢ関連情報とは、少なくとも部分的に一致する。任意選択で、第１指示情報によって指示されるＳＳＢ関連情報と、第２指示情報によって指示されるＳＳＢ関連情報とは、完全に同じである。本開示の実施例において、第１指示情報によって指示されるＳＳＢ関連情報と第２指示情報によって指示されるＳＳＢ関連情報とが全く同じであることを、ネットワーク側で保証できる、及び／又は、端末機器が希望（想定）する。
【００３２】
例えば、第１指示情報及び第２指示情報は、バーストセットにおける伝送されるＳＳＢの時間位置を指示し、該伝送されるＳＳＢの時間位置は、レートマッチング（ｒａｔｅ  ｍａｔｃｈｉｎｇ）に用いられる。又は、第１指示情報及び第２指示情報は、ＲＯとの間に関連関係が存在するＳＳＢを指示し、該指示されるＳＳＢは、ＳＳＢとＲＯとの関連関係に用いられる。
【００３３】
本開示の実施例において、第１指示情報によって指示されるＳＳＢ関連情報と第２指示情報によって指示されるＳＳＢ関連情報とは少なくとも部分的に一致するため、端末機器は、第１指示情報に基づいて、第２指示情報で指示される内容を決定したり、第２指示情報に基づいて、第１指示情報で指示される内容を決定したりすることができ、異なる状態（例えば、接続状態とアイドル状態）の端末機器ではＲＭＳＩ及び／又はＲＲＣによって指示されるＳＳＢについての理解の一致性を確保することができる。
【００３４】
第１指示情報によって指示されるＳＳＢ関連情報と第２指示情報によって指示されるＳＳＢ関連情報とは、同じであり、又は一定のマッピング関係が存在し、又は導出規則を有し、即ち、第２指示情報によって指示されるＳＳＢ関連情報に基づいて、第１指示情報によって指示されるＳＳＢ関連情報を導出し、又は、第１指示情報によって指示されるＳＳＢ関連情報に基づいて、第２指示情報によって指示されるＳＳＢ関連情報を導出することが理解されよう。
【００３５】
本開示の実施例において、第１情報と第２情報とは、フォーマットが同一であってもよいが、第１情報と第２情報に用いられる同一のフォーマットは、特に限定されないことが理解されよう。
【００３６】
本開示の実施例では、任意選択で、第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、前記第２情報は、バーストセットにおける伝送されるＳＳＢの第２時間位置、及びＲＯとの間に関連関係が存在する第２ＳＳＢの少なくとも１つを指示し、ここで、前記第１時間位置と前記第２時間位置とは、少なくとも部分的に一致し、及び／又は、前記第１ＳＳＢと前記第２ＳＳＢとは、少なくとも部分的に一致する。
【００３７】
例えば、第１情報は、パラメータａ、パラメータｂ及びパラメータｃのうちの１つ又は複数を含む。ここで、パラメータａは、バーストセットにおける伝送されるＳＳＢの第１時間位置を指示し、パラメータｂは、物理ランダムアクセスチャネル伝送機会ＲＯとの間に関連関係が存在する第１ＳＳＢを指示し、パラメータｃは、バーストセットにおける伝送されるＳＳＢの第１時間位置及び物理ランダムアクセスチャネル伝送機会ＲＯとの間に関連関係が存在する第１ＳＳＢを指示する。
【００３８】
例えば、第２情報は、パラメータｄ、パラメータｅ及びパラメータｆのうちの１つ又は複数を含む。ここで、パラメータｄは、バーストセットにおける伝送されるＳＳＢの第１時間位置を指示し、パラメータｅは、物理ランダムアクセスチャネル伝送機会ＲＯとの間に関連関係が存在する第１ＳＳＢを指示し、パラメータｆは、バーストセットにおける伝送されるＳＳＢの第１時間位置及び物理ランダムアクセスチャネル伝送機会ＲＯとの間に関連関係が存在する第１ＳＳＢを指示する。
【００３９】
更に、例えば、第１情報は、パラメータｃを含み、第２情報は、パラメータｄ及びパラメータｅを含み、ネットワーク側において、パラメータｃ及びパラメータｅが同一であることを保証する。又は、第１情報は、パラメータｃを含み、第２情報は、パラメータｆを含み、ネットワーク側において、パラメータｃとパラメータｆが同じであることを保証する。
【００４０】
第１時間位置と前記第２時間位置とは少なくとも部分的に同一であり、又は第１時間位置と前記第２時間位置とは少なくとも部分的に一定のマッピング関係を有し、又は第１時間位置と前記第２時間位置とは少なくとも部分的に導出規則を有し、即ち、第１時間位置の少なくとも一部に基づいて第２時間位置の少なくとも一部を導出し、又は、第２時間位置の少なくとも一部に基づいて第１時間位置の少なくとも一部を導出することが理解されよう。
【００４１】
第１ＳＳＢと前記第ＳＳＢとは少なくとも部分的に同一であり、又は第１ＳＳＢと前記第２ＳＳＢとは少なくとも部分的に一定のマッピング関係を有し、又は第１ＳＳＢと前記第２ＳＳＢとは少なくとも部分的に導出規則を有し、即ち、第１ＳＳＢの少なくとも一部に基づいて第２ＳＳＢの少なくとも一部を導出し、又は、第２ＳＳＢの少なくとも一部に基づいて第１ＳＳＢの少なくとも一部を導出することが理解されよう。
【００４２】
本開示の実施例において、任意選択で、第１情報及び第２情報は、バーストセット内の同期信号ブロックの位置（ＳＳＢ−ＰｏｓｉｔｉｏｎｓＩｎＢｕｒｓｔ）パラメータ、又はＳＳＢ送信時間領域の位置を示す他のパラメータである。第１情報及び第２情報の形式は、特に限定されないことが理解されよう。
【００４３】
本開示の実施例において、任意選択で、ステップ２０１において、目標セル、セカンダリセルＳｃｅｌｌ（ＳｅｃｏｎｄａｒｙＣｅｌｌ）又はプライマリセカンダリセルＰＳｃｅｌｌ（ＰｒｉｍａｒｙＳｅｃｏｎｄａｒｙＣｅｌｌ）のＲＭＳＩによって第１情報を送信し、又は、目標セル、セカンダリセル又はプライマリセカンダリセルの前記第２情報をＲＲＣシグナリングによって送信する。例えば、セル間ハンドオーバのシナリオにおいて、ソースセルからＲＲＣシグナリングによって目標セルの第２情報を送信する。また、例えば、サービングセルを追加又は修正するシナリオにおいて、セカンダリセル又はプライマリセカンダリセルの第２情報を、追加又は修正されたサービングセルからＲＲＣシグナリングによって送信する。
【００４４】
本開示の実施例では、任意選択で、セル間ハンドオーバシナリオでは、前記第１情報は、目標セルによって送信され、前記第２情報は、ソースセルによって送信される。又は、サービングセルを追加又は修正するシナリオでは、前記第１情報は、追加又は修正されたサービングセルによって送信され、前記第２情報は、プライマリセルによって送信されるが、具体的には以下を含む。（１）セカンダリセル構成を追加又は修正するシナリオにおいて、前記第１情報は、前記セカンダリセルによって送信され、前記第２情報は、プライマリセルによって送信される。（２）プライマリセカンダリセル構成を追加又は修正するシナリオにおいて、前記第１情報は、前記プライマリセカンダリセルによって送信され、前記第２情報は、プライマリセルによって送信される。セル間ハンドオーバシナリオ又はサービングセルを追加又は修正するシナリオにおいて、任意選択で、上記第１情報及び第２情報によって指示されるＳＳＢ関連情報は、完全に同一である。例えば、上記第１情報及び第２情報によって指示されるＳＳＢ関連情報は、セル間ハンドオーバ及びサービングセル追加（ＨＯＡｎｄＳｅｒｖＣｅｌｌＡｄｄ）条件が存在する場合、完全に同じである。
【００４５】
本開示の実施例において、セル間ハンドオーバシナリオ、セカンダリセル構成を追加又は修正するシナリオ、又はプライマリセカンダリセル構成を追加又は修正するシナリオで、ネットワークは、ＲＭＳＩによって送信される第１情報とＲＲＣシグナリングによって送信される第２情報とで指示されるＳＳＢ関連情報が少なくとも部分的に一致することを保証することができ、異なる状態（例えば、接続状態及びアイドル状態）の端末機器では、ＲＭＳＩ及び／又はＲＲＣによって指示されるＳＳＢに基づいて、物理チャネル（又は物理信号）とＳＳＢとの関連関係についての理解が一致し、リソースの浪費を回避し、システムリソース構成の複雑さを低減する。
【００４６】
図３を参照し、本開示の実施例は、実行エンティティが端末機器である信号処理方法を更に提供し、具体的には、ステップ３０１において、ＲＭＳＩによって第１情報を受信し、及び／又は、ＲＲＣシグナリングによって第２情報を受信する。ここで、前記第１指示情報によって指示されるＳＳＢ関連情報と前記第２指示情報によって指示されるＳＳＢ関連情報とは、少なくとも部分的に一致する。任意選択で、第１指示情報によって指示されるＳＳＢ関連情報と、第２指示情報によって指示されるＳＳＢ関連情報とは、完全に同じである。本開示の実施例において、第１指示情報によって指示されるＳＳＢ関連情報と第２指示情報によって指示されるＳＳＢ関連情報とが全く同じであることを、ネットワーク側で保証できる、及び／又は、端末機器が希望（想定）する。例えば、第１指示情報及び第２指示情報は、バーストセットにおける伝送されるＳＳＢの時間位置を指示し、該伝送されるＳＳＢの時間位置は、レートマッチング（ｒａｔｅ  ｍａｔｃｈｉｎｇ）に用いられる。又は、第１指示情報及び第２指示情報は、ＲＯとの間に関連関係が存在するＳＳＢを指示し、該指示されるＳＳＢは、ＳＳＢとＲＯとの関連関係に用いられる。
【００４７】
本開示の実施例において、第１指示情報によって指示されるＳＳＢ関連情報と第２指示情報によって指示されるＳＳＢ関連情報とは少なくとも部分的に一致するため、端末機器は、第１指示情報に基づいて、第２指示情報で指示される内容を決定したり、第２指示情報に基づいて、第１指示情報で指示される内容を決定したりすることができ、異なる状態（例えば、接続状態とアイドル状態）の端末装置ではＲＭＳＩ及び／又はＲＲＣによって指示されるＳＳＢについての理解の一致を確保することができる。
【００４８】
第１指示情報によって指示されるＳＳＢ関連情報と第２指示情報によって指示されるＳＳＢ関連情報とは、同じであり、又は一定のマッピング関係が存在し、又は導出規則を有し、即ち、第２指示情報によって指示されるＳＳＢ関連情報に基づいて、第１指示情報によって指示されるＳＳＢ関連情報を導出し、又は、第１指示情報によって指示されるＳＳＢ関連情報に基づいて、第２指示情報によって指示されるＳＳＢ関連情報を導出することが理解されよう。
【００４９】
本開示の実施例において、第１情報と第２情報とは、フォーマットが同一であってもよく、第１情報と第２情報に用いられる同一のフォーマットは、特に限定されないことが理解されよう。
【００５０】
本開示の実施例では、任意選択で、第１情報は、バーストセットにおける伝送されるＳＳＢの第１時間位置、及び物理ランダムアクセスチャネル伝送機会ＲＯとの間に関連関係が存在する第１ＳＳＢの内の少なくとも１つを指示し、前記第２情報は、バーストセットにおける伝送されるＳＳＢの第２時間位置、及びＲＯとの間に関連関係が存在する第２ＳＳＢの内の少なくとも１つを指示し、ここで、前記第１時間位置と前記第２時間位置とは、少なくとも部分的に一致し、及び／又は、前記第１ＳＳＢと前記第２ＳＳＢとは、少なくとも部分的に一致する。
【００５１】
第１時間位置と前記第２時間位置とは少なくとも部分的に同一であり、又は第１時間位置と前記第２時間位置とは少なくとも部分的に一定のマッピング関係を有し、又は第１時間位置と前記第２時間位置とは少なくとも部分的に導出規則を有し、即ち、第１時間位置の少なくとも一部に基づいて第２時間位置の少なくとも一部を導出し、又は、第２時間位置の少なくとも一部に基づいて第１時間位置の少なくとも一部を導出することが理解されよう。
【００５２】
第１ＳＳＢと前記第ＳＳＢとは少なくとも部分的に同一であり、又は第１ＳＳＢと前記第２ＳＳＢとは少なくとも部分的に一定のマッピング関係を有し、又は第１ＳＳＢと前記第２ＳＳＢとは少なくとも部分的に導出規則を有し、即ち、第１ＳＳＢの少なくとも一部に基づいて第２ＳＳＢの少なくとも一部を導出し、又は、第２ＳＳＢの少なくとも一部に基づいて第１ＳＳＢの少なくとも一部を導出することが理解されよう。
【００５３】
本開示の実施例において、任意選択で、前記第１情報及び第２情報は、ＳＳＢ−ＰｏｓｉｔｉｏｎｓＩｎＢｕｒｓｔパラメータ、又はＳＳＢ送信時間領域の位置を示す他のパラメータであり、第１情報及び第２情報の形式は、特に限定されないことが理解されよう。
【００５４】
本開示の実施例において、任意選択で、ステップ３０１において、目標セル、セカンダリセル又はプライマリセカンダリセルのＲＭＳＩによって前記第１情報を受信し、又は、目標セル、セカンダリセル又はプライマリセカンダリセルの第２情報をＲＲＣシグナリングによって受信する。
【００５５】
本開示の実施例では、任意選択で、セル間ハンドオーバシナリオでは、前記第１情報は、目標セルによって送信され、前記第２情報は、ソースセルによって送信される。又は、サービングセルを追加又は修正するシナリオでは、前記第１情報は、追加又は修正されたサービングセルによって送信され、前記第２情報は、プライマリセルによって送信されるが、具体的には以下を含む。（１）セカンダリセル構成を追加又は修正するシナリオにおいて、前記第１情報は、前記セカンダリセルによって送信され、前記第２情報は、プライマリセルによって送信される。（２）プライマリセカンダリセル構成を追加又は修正するシナリオにおいて、前記第１情報は、前記プライマリセカンダリセルによって送信され、前記第２情報は、プライマリセルによって送信される。セル間ハンドオーバシナリオ又はサービングセルを追加又は修正するシナリオにおいて、任意選択で、上記第１情報及び第２情報によって指示されるＳＳＢ関連情報は、完全に同一である。例えば、上記第１情報及び第２情報によって指示されるＳＳＢ関連情報は、ＨＯＡｎｄＳｅｒｖＣｅｌｌＡｄｄ条件が存在する場合、完全に同じである。
【００５６】
本開示の実施例において、セル間ハンドオーバシナリオ、セカンダリセル構成を追加又は修正するシナリオ、又はプライマリセカンダリセル構成を追加又は修正するシナリオで、ネットワークは、ＲＭＳＩによって送信される第１情報とＲＲＣシグナリングによって送信される第２情報とで指示されるＳＳＢ関連情報が少なくとも部分的に一致することを保証することができ、異なる状態（例えば、接続状態及びアイドル状態）の端末機器では、ＲＭＳＩ及び／又はＲＲＣによって指示されるＳＳＢに基づいて、物理チャネル（又は物理信号）とＳＳＢとの関連関係についての理解が一致し、リソースの浪費を回避し、システムリソース構成の複雑さを低減する。
【００５７】
本開示の実施例は、以下のシナリオで生じる問題を解決できることが理解されよう。
シナリオ１：セル間ハンドオーバの際、現在のサービングセル（例えば、ソースセル）シグナリングに搬送される目標セルに関連するｓｓｂ−ＰｏｓｉｔｉｏｎｓＩｎＢｕｒｓｔは、目標セルのＲＭＳＩにおけるｓｓｂ−ＰｏｓｉｔｉｏｎｓＩｎＢｕｒｓｔと異なる。
シナリオ２：Ｓｃｅｌｌ構成が追加又は修正されるとき、現在のサービングセル（例えば、プライマリセル）シグナリングに搬送されるセカンダリセルＳｃｅｌｌ（ＳｅｃｏｎｄａｒｙＣｅｌｌ）に関連するｓｓｂ−ＰｏｓｉｔｉｏｎｓＩｎＢｕｒｓｔは、該ＳｃｅｌｌのＲＭＳＩにおけるｓｓｂ−ＰｏｓｉｔｉｏｎｓＩｎＢｕｒｓｔと異なる。
シナリオ３：プライマリセカンダリセルＰＳｃｅｌｌ（ＰｒｉｍａｒｙＳｅｃｏｎｄａｒｙＣｅｌｌ）構成が追加又は修正されるとき、現在のサービングセル（例えば、プライマリセル）シグナリングに搬送されるＰＳｃｅｌｌに関連するｓｓｂ−ＰｏｓｉｔｉｏｎｓＩｎＢｕｒｓｔは、該ＰＳｃｅｌｌのＲＭＳＩにおけるｓｓｂ−ＰｏｓｉｔｉｏｎｓＩｎＢｕｒｓｔと異なる。
【００５８】
上記のシナリオに関して、本開示の実施例において、現在のサービングセルでシグナリングに搬送される目標セル、Ｓｃｅｌｌセル又はＰＳｃｅｌｌセルのｓｓｂ−ＰｏｓｉｔｉｏｎｓＩｎＢｕｒｓｔが、該目標セル、Ｓｃｅｌｌセル又はＰＳｃｅｌｌセルのＲＭＳＩにおけるｓｓｂ−ＰｏｓｉｔｉｏｎｓＩｎＢｕｒｓｔと同じであることを保証することができる。
例１：
【００５９】
この例において、第１情報及び第２情報は、ｓｓｂ−ＰｏｓｉｔｉｏｎｓＩｎＢｕｒｓｔパラメータであるとして紹介するが、本開示の実施例において第１情報及び第２情報の具体的な形式が特に限定されないことが理解されよう。
【００６０】
セル間ハンドオーバ、Ｓｃｅｌｌ構成の追加又は修正、Ｐｓｃｅｌｌ構成の追加又は修正を行う場合、基地局は、該目標セル、Ｓｃｅｌｌセル又はＰＳｃｅｌｌセルのＲＲＣ構成における共通サービングセル構成（ＳｅｒｖｉｎｇＣｅｌｌＣｏｎｆｉｇＣｏｍｍｏｎ）においてｓｓｂ−ＰｏｓｉｔｉｏｎｓＩｎＢｕｒｓｔによって指示されるＳＳＢが、該目標セル、Ｓｃｅｌｌセル又はＰＳｃｅｌｌセルのＳＩＢ１においてｓｓｂ−ＰｏｓｉｔｉｏｎｓＩｎＢｕｒｓｔによって指示されるＳＳＢと同じであることを保証する。
【００６１】
例えば、６Ｇ以上の場合、１つのＳＳ  ｂｕｒｓｔ  ｓｅｔに最大６４個のＳＳＢが含まれ、それら６４個の伝送可能なＳＳＢは、８つのグループに分けられる。セル間ハンドオーバシナリオにおいて、目標セルＡのＲＭＳＩにおけるｓｓｂ−ＰｏｓｉｔｉｏｎｓＩｎＢｕｒｓｔのグループｂｉｔｍａｐの「１１００００００」が、１つ目のＳＳＢグループと２つ目のＳＳＢグループを指示し、グループ内ｂｉｔｍａｐの「１１００００００」が、１つ目のＳＳＢグループと２つ目のＳＳＢグループ内の最初の２つのＳＳＢを指示すると仮定して、基地局は、合計２×２＝の４個のＳＳＢを伝送し、４個のＳＳＢの番号をＳＳＢ０、ＳＳＢ１、ＳＳＢ８、ＳＳＢ９とする。セル間ハンドオーバの場合を考慮し、ソースセルＢのＲＲＣ構成（例えば、ＲｅｃｏｎｆｉｇｕｒａｔｉｏｎＷｉｔｈＳｙｎｃ）には目標セルＡの構成が構成され、このときネットワーク構成のＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔも、ＳＳＢ０、ＳＳＢ１、ＳＳＢ８及びＳＳＢ９を指示する。端末機器は、ＳＳＢ０、ＳＳＢ１、ＳＳＢ８、ＳＳＢ９に基づいてＳＳＢとＲＯとの間に存在する関連関係を構築し、ＳＳＢ０、ＳＳＢ１、ＳＳＢ８、ＳＳＢ９に基づいてレートマッチングを行う。
【００６２】
また、例えば、６Ｇ以上の場合、１つのＳＳ  ｂｕｒｓｔ  ｓｅｔに最大６４個のＳＳＢが含まれ、それら６４個の伝送可能なＳＳＢは、８つのグループに分けられる。Ｐｃｅｌｌは、シグナリングによってセルＡをユーザに対して新たに追加されたセカンダリセルとして構成し、該セルＡもセルＡのＲＭＳＩを送信すると仮定し、ＲＭＳＩにおけるＲＭＳＩ（ＳＩＢ１）におけるｓｓｂ−ＰｏｓｉｔｉｏｎｓＩｎＢｕｒｓｔのグループｂｉｔｍａｐの「１１００００００」が、１つ目、２つ目のＳＳＢのグループを指示し、グループ内ｂｉｔｍａｐの「１１００００００」が、１つ目、２つ目のグループ内の最初の２つのＳＳＢを指示する。従って、合計で２×２＝の４個のＳＳＢが送信され、番号をＳＳＢ０、ＳＳＢ１、ＳＳＢ８、ＳＳＢ９に仮定する。このときネットワークは、プライマリセルによって送信されるシグナリングにおいて、該セカンダリセルＡに関する構成（例えばＳｅｒｖｉｎｇＣｅｌｌＣｏｎｆｉｇＣｏｍｍｏｎ）のｓｓｂ−ＰｏｓｉｔｉｏｎｓＩｎＢｕｒｓｔもＳＳＢ０、ＳＳＢ１、ＳＳＢ８及びＳＳＢ９を指示することを保証する必要がある。端末機器は、ＳＳＢ０、ＳＳＢ１、ＳＳＢ８、ＳＳＢ９に基づいて、ＳＳＢとＲＯとの間に存在する関連関係を構築し、ＳＳＢ０、ＳＳＢ１、ＳＳＢ８、ＳＳＢ９に基づいてレートマッチングを行う。
【００６３】
また、例えば、６Ｇ以上の場合、１つのＳＳ  ｂｕｒｓｔ  ｓｅｔに最大６４個のＳＳＢが含まれ、それら６４個の伝送可能なＳＳＢは、８つのグループに分けられる。Ｐｃｅｌｌは、シグナリングによってセルＡをユーザのプライマリセカンダリセルとして構成し、該セルＡもセルＡのＲＭＳＩを送信すると仮定し、ＲＭＳＩにおけるＲＭＳＩ（ＳＩＢ１）におけるｓｓｂ−ＰｏｓｉｔｉｏｎｓＩｎＢｕｒｓｔのグループｂｉｔｍａｐの「１１００００００」が、１つ目、２つ目のＳＳＢグループを指示し、組内ｂｉｔｍａｐの「１１００００００」が、１つ目、２つ目のグループ内の最初の２つのＳＳＢを指示する。従って、合計で２ｘ２＝の４個のＳＳＢが伝送され、番号をＳＳＢ０、ＳＳＢ１、ＳＳＢ８、ＳＳＢ９に仮定する。このときネットワークは、プライマリセルによって送信されるシグナリングにおいて、該プライマリセカンダリセルＡに関する構成（例えばＳｅｒｖｉｎｇＣｅｌｌＣｏｎｆｉｇＣｏｍｍｏｎ）のｓｓｂ−ＰｏｓｉｔｉｏｎｓＩｎＢｕｒｓｔもＳＳＢ０、ＳＳＢ１、ＳＳＢ８及びＳＳＢ９を指示することを保証する必要がある。端末機器は、ＳＳＢ０、ＳＳＢ１、ＳＳＢ８、ＳＳＢ９に基づいて、ＳＳＢとＲＯとの間に存在する関連関係を構築し、ＳＳＢ０、ＳＳＢ１、ＳＳＢ８、ＳＳＢ９に基づいてレートマッチングを行う。
【００６４】
本開示の実施例は、ネットワーク側機器を更に提供するが、ネットワーク側機器が問題を解決する原理が本開示の実施例に係る信号処理方法に似るため、該ネットワーク側機器の実施について、方法の実施を参照してもよく、重複する説明を省略する。
【００６５】
図４を参照し、本開示の実施例は、ネットワーク側機器を更に提供する。該ネットワーク側機器４００は、残りの最小システム情報ＲＭＳＩによって第１情報を送信し、及び／又は、無線リソース制御ＲＲＣシグナリングによって第２情報を送信する送信モジュール４０１を含み、ここで、前記第１指示情報によって指示されるＳＳＢ関連情報と前記第２指示情報によって指示されるＳＳＢ関連情報とは、少なくとも部分的に一致する。
【００６６】
本開示の実施例において、任意選択で、前記第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、前記第２情報は、バーストセットにおける伝送されるＳＳＢの第２時間位置、及びＲＯとの間に関連関係が存在する第２ＳＳＢの少なくとも１つを指示し、ここで、前記第１時間位置と前記第２時間位置とは、少なくとも部分的に一致し、及び／又は、前記第１ＳＳＢと前記第２ＳＳＢとは、少なくとも部分的に一致する。
【００６７】
本開示の実施例において、任意選択で、前記第１情報及び第２情報は、バーストセット内の同期信号ブロックの位置ＳＳＢ−ＰｏｓｉｔｉｏｎｓＩｎＢｕｒｓｔパラメータ、又はＳＳＢ送信時間領域の位置を示す他のパラメータである。
【００６８】
本開示の実施例において、任意選択で、前記送信モジュール４０１は、更に、目標セル、セカンダリセル又はプライマリセカンダリセルのＲＭＳＩによって前記第１情報を送信し、及び／又は、目標セル、セカンダリセル又はプライマリセカンダリセルの前記第２情報をＲＲＣシグナリングによって送信する。
【００６９】
本開示の実施例において、任意選択で、セル間ハンドオーバシナリオでは、前記第１情報は、目標セルによって送信され、前記第２情報は、ソースセルによって送信される。又は、サービングセルを追加又は修正するシナリオでは、前記第１情報は、追加又は修正されたサービングセルによって送信され、前記第２情報は、プライマリセルによって送信されるが、具体的には以下を含む。（１）セカンダリセル構成を追加又は修正するシナリオにおいて、前記第１情報は、前記セカンダリセルによって送信され、前記第２情報は、プライマリセルによって送信される。（２）プライマリセカンダリセル構成を追加又は修正するシナリオにおいて、前記第１情報は、前記プライマリセカンダリセルによって送信され、前記第２情報は、プライマリセルによって送信される。
【００７０】
本開示の実施例に係るネットワーク側機器は、上記の方法実施例を実行することができ、その実現原理及び技術効果が類似であるため、本実施例において繰り返して述べない。
【００７１】
本開示の実施例は、端末機器を更に提供するが、端末機器が問題を解決する原理が本開示の実施例に係る信号処理方法に似るため、該端末機器の実施について、方法の実施を参照してもよく、重複する説明を省略する。
【００７２】
図５を参照し、本開示の実施例は、端末機器を更に提供する。該端末機器５００は、ＲＭＳＩによって第１情報を受信し、及び／又は、ＲＲＣシグナリングによって第２情報を受信する受信モジュール５０１を含み、ここで、前記第１指示情報によって指示されるＳＳＢ関連情報と前記第２指示情報によって指示されるＳＳＢ関連情報とは、少なくとも部分的に一致する。
【００７３】
本開示の実施例において、任意選択で、前記第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、前記第２情報は、バーストセットにおける伝送されるＳＳＢの第２時間位置、及びＲＯとの間に関連関係が存在する第２ＳＳＢの少なくとも１つを指示し、ここで、前記第１時間位置と前記第２時間位置とは、少なくとも部分的に一致し、及び／又は、前記第１ＳＳＢと前記第２ＳＳＢとは、少なくとも部分的に一致する。
【００７４】
本開示の実施例において、任意選択で、前記第１情報及び第２情報は、ＳＳＢ−ＰｏｓｉｔｉｏｎｓＩｎＢｕｒｓｔパラメータ、又はＳＳＢ送信時間領域の位置を示す他のパラメータである。
【００７５】
本開示の実施例において、任意選択で、受信モジュール５０１は、更に、目標セル、セカンダリセル又はプライマリセカンダリセルのＲＭＳＩによって前記第１情報を受信し、及び／又は、目標セル、セカンダリセル又はプライマリセカンダリセルの第２情報をＲＲＣシグナリングによって受信する。
【００７６】
本開示の実施例では、任意選択で、セル間ハンドオーバシナリオでは、前記第１情報は、目標セルによって送信され、前記第２情報は、ソースセルによって送信される。又は、サービングセルを追加又は修正するシナリオでは、前記第１情報は、追加又は修正されたサービングセルによって送信され、前記第２情報は、プライマリセルによって送信されるが、具体的には以下を含む。（１）セカンダリセル構成を追加又は修正するシナリオにおいて、前記第１情報は、前記セカンダリセルによって送信され、前記第２情報は、プライマリセルによって送信される。（２）プライマリセカンダリセル構成を追加又は修正するシナリオにおいて、前記第１情報は、前記プライマリセカンダリセルによって送信され、前記第２情報は、プライマリセルによって送信される。
【００７７】
本開示の実施例に係る端末機器は、上記の方法実施例を実行することができ、その実現原理及び技術効果が類似であるため、本実施例において繰り返して述べない。
【００７８】
図６を参照する。図６は、本開示の実施例に応用されるネットワーク側機器の構造図である。図６に示すように、ネットワーク側機器６００は、プロセッサ６０１と、トランシーバ６０２と、メモリ６０３と、バスインタフェースを含む。ここで、本開示の一実施例において、ネットワーク側機器６００は、メモリ６０３に格納されてプロセッサ６０１で動作可能なコンピュータプログラムを更に含む。コンピュータプログラムがプロセッサ６０１によって実行されると、残りの最小システム情報ＲＭＳＩによって第１情報を送信するステップ、及び／又は、無線リソース制御ＲＲＣシグナリングによって第２情報を送信するステップが実現される。ここで、前記第１指示情報によって指示されるＳＳＢ関連情報と前記第２指示情報によって指示されるＳＳＢ関連情報とは、少なくとも部分的に一致する。
【００７９】
図６において、バスアーキテクチャは、任意数の相互接続するバスとブリッジを含み、具体的に、プロセッサ６０１をはじめとする１つ又は複数のプロセッサとメモリ６０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本開示の実施例においてさらなる記載をしない。バスインタフェースにより、インタフェースが提供される。トランシーバ６０２は、複数の部品であってもよく、即ち送信機と受信機を含み、伝送媒体でほかの各種類の装置と通信するユニットとして提供される。
【００８０】
プロセッサ６０１は、バスアーキテクチャと通常の処理を管理する。メモリ６０３は、プロセッサ６０１による操作実行に使用されるデータを記憶できる。
【００８１】
本開示の実施例に係るネットワーク側機器は、上記の方法実施例を実行することができ、その実現原理及び技術効果が類似であるため、本実施例において繰り返して述べない。
【００８２】
図７に示すように、図７に示す端末機器７００は、少なくとも１つのプロセッサ７０１と、メモリ７０２と、少なくとも１つのネットワークインタフェース７０４と、ユーザインタフェース７０３を含む。端末機器７００における各構成部品は、バスシステム７０５を介して結合される。バスシステム７０５は、これらの構成部品の間の接続と通信に用いられることが理解できる。バスシステム７０５は、データバスのほかに、電源バス、制御バス及び状態信号バスを更に含む。ただし、明確に説明するために、図７において、各種類のバスをすべてバスシステム７０５として標記している。
【００８３】
ここで、ユーザインタフェース７０３は、ディスプレイ、キーボード又はポインティングデバイス（たとえばマウス、トラックボール（ｔｒａｃｋ  ｂａｌｌ））、タッチパネル又はタッチスクリーンなどを含む。
【００８４】
本開示の実施例におけるメモリ７０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ７０２は、これらに限られず、これら及びこれら以外の任意の適合する種類のメモリを含むとする。
【００８５】
一部実施例において、メモリ７０２には、実行可能なモジュール又はデータ構造、又はそれらのサブセット、又は、それらの拡張セットであるオペレーションシステム７０２１とアプリケーションプログラム７０２２が記憶されている。
【００８６】
ここで、オペレーションシステム７０２１は、フレーム層、コアライブラリ層、駆動層など各種類のシステムプログラムを含み、各種類のベーシックサービスの実現及びハードウェアに基づくタスクの処理に用いられる。アプリケーションプログラム７０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム７０２２に含まれる。
【００８７】
本開示の一実施例において、メモリ７０２に保存されているプログラム又は指令を呼び出し、具体的に、アプリケーションプログラム７０２２に保存されているプログラム又は指令を呼び出すことによって、ＲＭＳＩによって第１情報を受信するステップ、及び／又は、ＲＲＣシグナリングによって第２情報を受信するステップが実現される。ここで、前記第１指示情報によって指示されるＳＳＢ関連情報と前記第２指示情報によって指示されるＳＳＢ関連情報とは、少なくとも部分的に一致する。
【００８８】
本開示の実施例に係る端末機器は、上記の方法実施例を実行することができ、その実現原理及び技術効果が類似であるため、本実施例において繰り返して述べない。
【００８９】
本開示の開示内容と関連付けて記載した方法又はアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスク又は本分野で周知されているあらゆる形式の記憶媒体に位置する。例示的な記憶媒体は、プロセッサに結合される。よって、プロセッサは、当該記憶媒体から情報を読み取り、且つ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置してもよい。もちろん、プロセッサと記憶媒体は、分離構成としてコアネットワークインタフェース機器に位置してもよい。
【００９０】
上記の１つ又は複数の例において、本開示に記載の機能がハードウェア、ソフトウェア、ファームウェア又はそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つ又は複数の指令又はコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用又は特殊用途向けのコンピュータによってアクセス可能なあらゆる利用可能な媒体である。
【００９１】
以上に記載した具体的な実施形態によって、本開示の目的、技術手段及び効果をさらなる詳細な説明をした。なお、以上の記載は、本開示の具体的な実施形態に過ぎず、本開示の保護範囲を限定するためのものではない。本開示の技術手段を基に為したあらゆる修正、均等置換及び改良などは、すべて本開示の保護範囲に含まれるべきである。
【００９２】
本開示の実施例が、方法、システム、又はコンピュータプログラム製品として提供できることは、当業者には理解できる。従って、本開示の実施例は、完全なハードウェア実施例、完全なソフトウェア実施例、又はソフトウェアとハードウェアを組み合わせた実施例の形態を採用できる。更に、本開示の実施例は、コンピュータ使用可能プログラムコードを含む１つ又は複数のコンピュータ使用可能記憶媒体（磁気ディスクメモリ、ＣＤ−ＲＯＭ、光学メモリなどを含むが、それに限られない）で実施されるコンピュータプログラム製品の形態を採用できる。
【００９３】
本開示の実施例は、本開示の実施例による方法、機器（システム）、及びコンピュータプログラム製品のフローチャート及び／又はブロック図を参照して説明される。フローチャート及び／又はブロック図の各フロー及び／又はブロック、並びにフローチャート及び／又はブロック図におけるフロー及び／又はブロックの組み合わせは、コンピュータプログラム指令によって実現されることが理解できる。これらのコンピュータプログラム指令は、汎用コンピュータ、専用コンピュータ、組み込みプロセッサ、又は他のプログラム可能なデータ処理端末機器のプロセッサに提供されて、マシンを生成し、コンピュータ又は他のプログラム可能なデータ処理端末機器のプロセッサによって実行される指令が、フローチャートの１つのフロー若しくは複数のフロー及び／又はブロック図の１つのブロック若しくは複数のブロックにおいて指定される機能を実現するための手段を生成するようにしてもよい。
【００９４】
これらのコンピュータプログラム指令は、コンピュータ又は他のプログラム可能なデータ処理端末機器に特定の方法で機能するように指示することができるコンピュータ可読メモリに記憶されてもよく、その結果、コンピュータ可読メモリに記憶された指令は、フローチャートの１つ若しくは複数の流れ、及び／又はブロック図の１つ若しくは複数のブロックにおいて指定された機能を実現する指令手段を含む製品を生成する。
【００９５】
これらのコンピュータプログラム指令は、コンピュータ又は他のプログラム可能な端末機器上で一連の動作ステップを実行してコンピュータ実現プロセスを生成し、それにより、コンピュータ又は他のプログラム可能な端末機器上で実行される指令が、フローチャートの１つのフロー若しくは複数のフロー及び／又はブロック図の１つのブロック若しくは複数のブロックにおいて指定される機能を実現するためのステップを提供するように、コンピュータ又は他のプログラム可能なデータ処理端末機器上にロードされてもよい。
【００９６】
明らかに、当業者は、本開示の実施例に対し、本開示の趣旨や範囲を逸脱することなく様々な変更や変形を行うことができる。このように、本開示の実施例のこれらの修正や変形が本開示の特許請求の範囲及びその同等技術の範囲に属するのであれば、本開示は、これらの変更や変形を含むものとする。
【符号の説明】
【００９７】
４００  ネットワーク側機器
４０１  送信モジュール
５００  端末機器
５０１  受信モジュール
６００  ネットワーク側機器
６０１  プロセッサ
６０２  トランシーバ
６０３  メモリ
７００  端末機器
７０１  プロセッサ
７０２  メモリ
７０３  ユーザインタフェース
７０４  ネットワークインタフェース
７０５  バスシステム
７０２１  オペレーションシステム
７０２２  アプリケーションプログラム
【図１】
2021524211.tif 000003
【図２】
2021524211.tif 000004
【図３】
2021524211.tif 000005
【図４】
2021524211.tif 000006
【図５】
2021524211.tif 000007
【図６】
2021524211.tif 000008
【図７】
2021524211.tif 000009
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
ネットワーク側機器に応用される信号処理方法であって、
残りの最小システム情報ＲＭＳＩによって第１情報を送信すること、及び／又は、無線リソース制御ＲＲＣシグナリングによって第２情報を送信することを含み、
ここで、前記第１指示情報によって指示されるＳＳＢ関連情報と前記第２指示情報によって指示されるＳＳＢ関連情報とは、少なくとも部分的に一致する、信号処理方法。
【請求項２】
前記第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、
前記第２情報は、バーストセットにおける伝送されるＳＳＢの第２時間位置、及びＲＯとの間に関連関係が存在する第２ＳＳＢの少なくとも１つを指示し、
ここで、前記第１時間位置と前記第２時間位置とは、少なくとも部分的に一致し、及び／又は、前記第１ＳＳＢと前記第２ＳＳＢとは、少なくとも部分的に一致する、請求項１に記載の信号処理方法。
【請求項３】
前記第１情報及び第２情報は、バーストセット内の同期信号ブロックの位置ＳＳＢ−ＰｏｓｉｔｉｏｎｓＩｎＢｕｒｓｔパラメータ、又はＳＳＢ送信時間領域の位置を示す他のパラメータである、請求項１に記載の信号処理方法。
【請求項４】
前記残りの最小システム情報ＲＭＳＩによって第１情報を送信することは、
目標セル、セカンダリセル又はプライマリセカンダリセルのＲＭＳＩによって前記第１情報を送信することを含み、
及び／又は、
前記ＲＲＣシグナリングによって第２情報を送信することは、
目標セル、セカンダリセル又はプライマリセカンダリセルの前記第２情報をＲＲＣシグナリングによって送信することを含む、請求項１に記載の信号処理方法。
【請求項５】
セル間ハンドオーバシナリオでは、前記第１情報は、目標セルによって送信され、前記第２情報は、ソースセルによって送信され、又は、
サービングセルを追加又は修正するシナリオでは、前記第１情報は、追加又は修正されたサービングセルによって送信され、前記第２情報は、プライマリセルによって送信される、請求項１に記載の信号処理方法。
【請求項６】
端末機器に応用される信号処理方法であって、
ＲＭＳＩによって第１情報を受信すること、及び／又は、ＲＲＣシグナリングによって第２情報を受信することを含み、
ここで、前記第１指示情報によって指示されるＳＳＢ関連情報と前記第２指示情報によって指示されるＳＳＢ関連情報とは、少なくとも部分的に一致する、信号処理方法。
【請求項７】
前記第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、
前記第２情報は、バーストセットにおける伝送されるＳＳＢの第２時間位置、及びＲＯとの間に関連関係が存在する第２ＳＳＢの少なくとも１つを指示し、
ここで、前記第１時間位置と前記第２時間位置とは、少なくとも部分的に一致し、及び／又は、前記第１ＳＳＢと前記第２ＳＳＢとは、少なくとも部分的に一致する、請求項６に記載の信号処理方法。
【請求項８】
前記第１情報及び第２情報は、ＳＳＢ−ＰｏｓｉｔｉｏｎｓＩｎＢｕｒｓｔパラメータ、又はＳＳＢ送信時間領域の位置を示す他のパラメータである、請求項６に記載の信号処理方法。
【請求項９】
前記ＲＭＳＩによって第１情報を受信することは、
目標セル、セカンダリセル又はプライマリセカンダリセルのＲＭＳＩによって前記第１情報を受信することを含み、
及び／又は
前記ＲＲＣシグナリングによって第２情報を受信することは、
目標セル、セカンダリセル又はプライマリセカンダリセルの第２情報をＲＲＣシグナリングによって受信することを含む、請求項６に記載の信号処理方法。
【請求項１０】
セル間ハンドオーバシナリオでは、前記第１情報は、目標セルによって送信され、前記第２情報は、ソースセルによって送信され、又は、
サービングセルを追加又は修正するシナリオでは、前記第１情報は、追加又は修正されたサービングセルによって送信され、前記第２情報は、プライマリセルによって送信される、請求項６に記載の信号処理方法。
【請求項１１】
ネットワーク側機器において、
ＲＭＳＩによって第１情報を送信し、及び／又は、ＲＲＣシグナリングによって第２情報を送信する送信モジュールを含み、
ここで、前記第１指示情報によって指示されるＳＳＢ関連情報と前記第２指示情報によって指示されるＳＳＢ関連情報とは、少なくとも部分的に一致する、ネットワーク側機器。
【請求項１２】
端末機器において、
ＲＭＳＩによって第１情報を受信し、及び／又は、ＲＲＣシグナリングによって第２情報を受信する受信モジュールを含み、
ここで、前記第１指示情報によって指示されるＳＳＢ関連情報と前記第２指示情報によって指示されるＳＳＢ関連情報とは、少なくとも部分的に一致する、端末機器。
【請求項１３】
前記第１情報は、バーストセットにおける伝送されるＳＳＢの第１時間位置、及び物理ランダムアクセスチャネル伝送機会ＲＯとの間に関連関係が存在する第１ＳＳＢの少なくとも１つを指示し、
前記第２情報は、バーストセットにおける伝送されるＳＳＢの第２時間位置、及びＲＯとの間に関連関係が存在する第２ＳＳＢの少なくとも１つを指示し、
ここで、前記第１時間位置と前記第２時間位置とは、少なくとも部分的に一致し、及び／又は、前記第１ＳＳＢと前記第２ＳＳＢとは、少なくとも部分的に一致する、請求項１２に記載の端末機器。
【請求項１４】
前記第１情報及び第２情報は、ＳＳＢ−ＰｏｓｉｔｉｏｎｓＩｎＢｕｒｓｔパラメータ、又はＳＳＢ送信時間領域の位置を示す他のパラメータである、請求項１２に記載の端末機器。
【請求項１５】
前記受信モジュールは、さらに、
目標セル、セカンダリセル又はプライマリセカンダリセルのＲＭＳＩによって前記第１情報を受信することに用いられ、
及び／又は
目標セル、セカンダリセル又はプライマリセカンダリセルの第２情報をＲＲＣシグナリングによって受信することことに用いられる、請求項１２に記載の端末機器。
【国際調査報告】
2021524211.tif 000010
2021524211.tif 000011
2021524211.tif 000012
2021524211.tif 000013